Podtech/llm-jp-corpus-v4-ja_patent huggingface dataset:
(57)【要約】      （修正有）【課題】宴会の席などで、栓抜きが見当たらず、右往左往することがあることを防止する栓抜きを提供する。【解決手段】栓抜きは、小鳥などの動物、花、人形、乗り物などの模型１に磁石２を付けて栓抜き機能３を設け、ビンの蓋にくっつけられるようにする。【選択図】図１
0003231694.tif 000002
【実用新案登録請求の範囲】
【請求項１】
小鳥の模型の腹部に磁石を配置し、尾の部分に栓抜き機能を設けた栓抜き
【請求項２】
リスや猫・犬などの動物の模型の腹部、又はその他の部分に磁石を配置し、尾部、又はその他の部分に栓抜き機能を設けた栓抜き
【請求項３】
花や果物・野菜などの模型の一部に磁石を配置し、その他の部分に栓抜き機能を設けた栓抜き
【請求項４】
人形の一部に磁石を配置し、その他の部分に栓抜き機能を設けた栓抜き
【請求項５】
飛行機、自動車、船等乗り物の模型の一部に磁石を配置し、その他の部分に栓抜き機能を設けた栓抜き
【請求項６】
上記各号の他、固形物の一部に磁石を配置し、その他の部分に栓抜き機能を設けた栓抜き
【考案の詳細な説明】
【技術分野】
【０００１】
本考案は、宴会の席などで、栓抜きが見当たらず、右往左往することがあることを防止し、かつ、宴会をより和やかにすることに関するものである。
【背景技術】
【０００２】
栓抜きに磁石を付けて、ビンの蓋につけることによって栓抜きが見当たらないという事態が無くなる。
【先行技術文献】
【特許文献】
【０００３】
【特許文献１】なし
【非特許文献】
【０００４】
【非特許文献１】なし
【考案の概要】
【考案が解決しようとする課題】
【０００５】
宴会の席などにおいて、栓抜きを探す必要をなくす。
【課題を解決するための手段】
【０００６】
栓抜きと磁石をくっつける。
【０００７】
さらに、親しみをこめて、また、宴席などが和やかさを増すように、これらを小動物の模型にセットする。
【考案の効果】
【０００８】
宴会の席などにおいて、栓抜きを探す必要がなくなる。
【０００９】
本考案の存在が、話題を提供すると共に、和やかさが増す。
【図面の簡単な説明】
【００１０】
【図１】小鳥の模型に磁石と栓抜きの機能を付加した栓抜き
【図２】動物であるカモシカの模型に磁石と栓抜きの機能を付加した栓抜き
【図３】動物であるカバの頭部模型に磁石と栓抜きの機能を付加した栓抜き
【図４】ビンを模した固形物に磁石と栓抜きの機能を付加した栓抜き
【考案を実施するための形態】
【００１１】
小鳥、動物、その他の模型に磁石、及び栓抜きの機能を付加する。
【００１２】
磁石の形状には様々あるが、球面状のものが望ましい。
【００１３】
栓抜きの機能部分の形状も様々であるが、それぞれの模型に合わせて作成すればよい。
【実施例】
【００１４】
本考案を、ビンの頭にある栓にくっつけて使用する
【産業上の利用可能性】
【００１５】
本考案は、ビンの栓だけでなく、厨房や台所等において、鉄製の壁面などにもくっつけて使用可能である。
【符号の説明】
【００１６】
１  小鳥、動物、人形等の模型
２  磁石
３  栓抜きの機能部分
【図１】
0003231694.tif 000003
【図２】
0003231694.tif 000004
【図３】
0003231694.tif 000005
【図４】
0003231694.tif 000006
【手続補正書】
【提出日】令和3年2月13日(2021.2.13)
【手続補正１】
【補正対象書類名】実用新案登録請求の範囲
【補正対象項目名】全文
【補正方法】変更
【補正の内容】
【実用新案登録請求の範囲】
【請求項１】
小鳥の模型の腹部に磁石を配置し、尾の部分に栓抜き機能を設けた栓抜き。
【請求項２】
リスや猫・犬などの動物の模型の腹部、又はその他の部分に磁石を配置し、尾部、又はその他の部分に栓抜き機能を設けた栓抜き。
【請求項３】
花や果物・野菜などの模型の一部に磁石を配置し、その他の部分に栓抜き機能を設けた栓抜き。
【請求項４】
人形の一部に磁石を配置し、その他の部分に栓抜き機能を設けた栓抜き。
【請求項５】
飛行機、自動車、船等乗り物の模型の一部に磁石を配置し、その他の部分に栓抜き機能を設けた栓抜き。
【請求項６】
請求項１から５に掲げるものの他、ビンを模したもの等様々な形状の小型固形物の一部に磁石を配置し、その他の部分に栓抜き機能を設けた栓抜き。
(57)【要約】      （修正有）【課題】足を洗う際に履くことで、足を洗い、角質除去や洗浄力を向上させる足洗いソックスを提供する。【解決手段】浴室等で足を洗う際のボディタオルと同じ素材で、履きながら足を直接洗う足洗いソックス１であって、５本指ソックス２の形とすることにより、直接石鹸やボディソープをつけて洗うことができる。【選択図】図１
0003231692.tif 000002
【実用新案登録請求の範囲】
【請求項１】
お風呂場や浴室等の足を洗う際にボディタオルと同じ肌を洗う目的とした素材を用いた履きながら直接洗う足洗い用５本指ソックス
【請求項２】
足を洗う際にボディタオルを５本指ソックスの形として履くことにより、履きながら石鹸やボディソープをつけて洗える足洗い用ソックス
【請求項３】
ボディタオルと同じ肌を洗う目的とした素材の５本指ソックスを履くことにより直接ソックスに石鹸やボディソープをつけて手の指で洗えたり履いてる摩擦で足やくるぶしを綺麗にすることができます
【考案の詳細な説明】
【技術分野】
【０００１】本考案は、お風呂場や浴室にボディタオルと同じ肌を洗う目的とした素材の５本指ソックスを履くことにより直接足を洗い角質除去や洗浄力を向上させます。
【背景技術】
【０００２】従来、ボディタオルとソックスは、個々の物として使用する物であったがソックスを足の保護だけでなく別の使い方が出来るよう考案しました。
【考案の概要】
【考案が解決しようとする課題】
【０００３】足を洗う際に体を前屈みの姿勢にしなければならなかったり手から足までの距離がある為洗いづらく、また通常のボディタオルでは足指の間に入りづらい物が多く綺麗に洗えなかった。
【課題を解決するための手段】
【０００４】上述した従来の課題を解決する本発明は、お風呂場や浴室にボディタオルと同じ肌を洗う目的とした素材の５本指ソックスを履いて直接洗うことより足指の間も洗いやすく角質除去や洗浄力を向上させます。
【考案の効果】
【０００５】ボディタオル素材の５本指ソックスを履くことにより直接ソックスに石鹸やボディソープをつけて手の指で洗えたり履いてる摩擦で足やくるぶしを綺麗にすることが容易にできます。
【図面の簡単な説明】
【０００６】
【図１】ソックスの全体図
【図２】ソックスの指の部分
【考案を実施するための形態】
【０００７】本発明は１のボディタオルと同じ肌を洗う目的とした素材のソックスを用い２は５本指部分に少しゆとりを持たせ３はくるぶしより上の長さを表す。
【符号の説明】
【０００８】１  ソックス本体
２  ５本指の部分
３  ソックスの長さ
【図１】
0003231692.tif 000003
【図２】
0003231692.tif 000004
【手続補正書】
【提出日】令和2年11月2日(2020.11.2)
【手続補正１】
【補正対象書類名】実用新案登録請求の範囲
【補正対象項目名】全文
【補正方法】変更
【補正の内容】
【実用新案登録請求の範囲】
【請求項１】
浴室等で足を洗う際にボディタオルと同じ肌を洗う目的とした素材を履きながら直接洗う足洗いソックス
【請求項２】
前記ソックスはボディタオル素材を５本指ソックスの形として履くことにより、直接石鹸やボディソープをつけて洗える請求項１記載の足洗いソックス
(57)【要約】      （修正有）【課題】オフィス内のテーブルやデスクまた飲食店等のテーブルや対面するカウンターの上面に設置し、咳や会話による飛沫核感染防止用パーテーションを提供する。【解決手段】パーテーションは、パーテーションの上部に曲げ加工がされた折曲した形状を備える。【選択図】図１
0003231693.tif 000002
【実用新案登録請求の範囲】
【請求項１】
パーテーション上部の形状が折曲した形のパーテーション
【請求項２】
上記パーテーションは透明性のあるプラスチック材料で板状体に形成されているパーテーション
【考案の詳細な説明】
【技術分野】
【０００１】      本考案は飛沫核感染防止用パーテーションに関するものである。
【背景技術】
【０００２】      新型コロナウィルス等の感染症が流行している中、オフィスや飲食店など様々な業種でパーテーションが提供されている。飛沫は水分を含んでいるためそれなりの重さがあり、体内から放出された後、すぐに地面に落ちるが、飛沫核は水分が無く軽いため、長時間にわたり空気中に浮遊するため咳や会話によってパーテーションの高さが不十分なことや形状が垂直の場合確実に感染予防できるものとはいいがたい。
【考案の概要】
【考案が解決しようとする課題】      本考案は新型コロナウイルス等の飛沫核が飛散しないように、対面方向へのウイルスの飛沫核感染を防止できるようにしたパーテーションを提供することである。【０００３】
【課題を解決するための手段】
【０００４】      本考案はパーテーション上部の形状を折曲した形にする事で上記課題が解決される。
【考案の効果】
【０００５】      本考案を用いることで咳やくしゃみから出る飛沫核を折曲した形のパーテーションにより対面方向へ向かう空気の流れを変え飛沫核感染を防止することができる。
【図面の簡単な説明】
【０００６】
【図１】パーテーションの斜視図である。
【図２】パーテーションの側面図である。
【図１】
0003231693.tif 000003
【図２】
0003231693.tif 000004
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
パーテーション上部の形状が折曲した形のパーテーション
【請求項２】
透明性のあるプラスチック材料で板状体に形成されている請求項１に記載のパーテーション
(57)【要約】      （修正有）【課題】クッション、シート、マット、家財道具、緩衝材などの中綿に用いることができ、耐久性かつ取扱い性を良好にした中綿素材が充填された風袋を提供する。【解決手段】いわゆる堅綿（高融点重合体と低融点重合体がある一定の混合比率で均等に混ざり合った状態のものを熱処理し、低融点重合体の一部が溶融または、軟化し形状保持されたもの）を裁断や切断などで粒状形状にカットし、複数個体を同一の風袋に入れることにより形状保持されたうえに流動的性質を持たせるようにした。【選択図】図１
0003231659.tif 000002
【実用新案登録請求の範囲】
【請求項１】
袋体に充填されるクッション体用充填剤であって、堅綿を複数個体にカットすることにより、その形態が粒状形状であることを特徴とする粒状繊維成形体であり、同一の風袋に入れ使用できるようにしたもの。クッション体用充填剤、中綿素材の提供。
【考案の詳細な説明】
【技術分野】
【０００１】
熱処理を施して成形された堅綿は、形状保持されてしまい保持された形状より変化することはなく、成形方法も一成形体ごとに金型等に入れ熱処理・冷却せざるを得ず広く一般に広がることが困難であった。これを、どんな形状にも対応するべく時間もかけることなく広く一般に使用できるように改良したものを考案。
【背景技術】
【０００２】
堅綿を複数個体に小さくカットすることにより、その形態が粒状形状であることを特徴とする粒状繊維成型体であり、同一の風袋に入れ使用できるようにしたもの。中綿素材の提供。
【考案の概要】
【考案が解決しようとする課題】
【０００３】
堅綿がシート・マット状や金型形状のものしか成形されず、成形に時間もかかり広く一般に広がることがなかったものを、時間をかけずどんな形状にも対応できるようにし、広く一般に広がり、便利になるようにする。
【課題を解決するための手段】
【０００４】
堅綿を複数個体に小さくカットし、その形態が粒状形状であることを特徴とする粒状繊維成型体となり、それが同一の風袋に入れられ使用できるようにする。
【図面の簡単な説明】
【０００５】
【図１】堅綿の裁断イメージ
【図２】裁断後の粒状成形体のイメージ
【図３】カット形状の見本イメージ
【考案を実施するための形態】
【０００６】
［図１］に示すように堅綿をシート状などに成型後、粒状形態に裁断・カットする。また［図２］に示すのは、堅綿成型時の高融点重合体と低融点重合体が絡み合った際のイメージ。［図３］は裁断・カットした際の粒状形状の見本。
【実施例】
【０００７】
クッション、異型クッションなどの中綿素材の提供。
その他、一般的な乗用車、バス、電車等の座席シート。
学習机のいす、ソファー等の家財道具。
製品を箱詰めする際の隙間を埋める、緩衝材。運動マットなど。
【産業上の利用可能性】
【０００８】
クッション、異型クッション、座席シート、家財道具、緩衝材、運動マット
【図１】
0003231659.tif 000003
【図２】
0003231659.tif 000004
【図３】
0003231659.tif 000005
【手続補正書】
【提出日】令和2年11月21日(2020.11.21)
【手続補正１】
【補正対象書類名】実用新案登録請求の範囲
【補正対象項目名】請求項１
【補正方法】変更
【補正の内容】
【請求項１】
クッション体用充填剤が充填される風袋であって、当該クッション体用充填剤は、堅綿を複数個体にカットすることにより、その形態が粒状形状であることを特徴とするクッション体用充填剤が充填される風袋。
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
クッション体用充填剤が充填された風袋であって、当該クッション体用充填剤は、堅綿を複数個体にカットすることにより、その形態が粒状形状であることを特徴とするクッション体用充填剤が充填された風袋。
(57)【要約】      （修正有）【課題】マスク使用時に、眼鏡が曇る、マスクに口唇がふれる不快感とマスクが汚染しやすい状態にあるのを改善するマスクを提供する。【解決手段】マスクは、マスク本体１と鼻から両頬部に添った内布３の二枚を上端で縫い合わせた形態を作り、内布２はマスク本体１横径より短くし、マスク本体１と内布２に、８ミリ程の空隙５を生じさせる。マスク本体１が鼻先より長く、下顎に添う様にカーブしている為、口唇との間に空間を形成する。この２点の改良により、眼鏡方向に流れた呼気はマスク本体１と、内布２によりの空隙部５に塞き止められ、同時に内布に沿って左右に誘導され、呼気により生じる眼鏡レンズの曇り現象は改善がなされ、マスク本体１と口唇の空間により、マスク内部の口唇による接触、汚染は少なくなる。【選択図】図５
0003231654.tif 000002
【実用新案登録請求の範囲】
【請求項１】
マスク本体の上端に、マスク本体より小さい内布を、マスク装着者の鼻から両頬部に添うように縫い付けて、マスク本体と内布の間に空隙を備えたマスク。
【請求項２】
マスクの内布はマスク装着者の鼻から頬部に添わせ装着、マスク本体は鼻先より長く、下顎にカーブする事で、マスクと口唇との空間を備えた請求項１記載のマスク。
【考案の詳細な説明】
【技術分野】
【０００１】  本考案は、マスク使用時の、眼鏡レンズの曇りを予防し、又、マスクの内布がマスク装着者の鼻から両頬部に接し安定する事で、マスク本体が口唇と密着せず衛生保持が出来、装着の不快感を軽減するマスクに関するものである。
【背景技術】
【０００２】  新型のウイルス感染症が流行し、対面ではマスクを着用する事が望まれる日常生活を送っている。このような中、マスク使用時の眼鏡の曇り現象は不快であり、労働作業能力を低下させている。又、マスク接触によるマスク内の口唇部分の汚染は、不快で不衛生である。マスクの構造をマスク本体とマスク装着者の鼻から頬部に添った内布との二重構造にし、前記に示した二点の改善に取り組んだ。
【先行技術文献】
【特許文献】
【０００３】
【特許文献１】実登第３２２７４９６号公報
【特許文献２】実登第３２２７６５９号公報
【考案の概要】
【考案が解決しようとする課題】
【０００４】  マスクは、外気中に浮遊する、細菌、ウイルス、花粉、汚染物質等から、口と鼻、呼吸に関する部分をカバーし装着するものである。しかしマスク使用時の、１）呼吸時に生じる眼鏡レンズの曇り２）マスクが口唇に触れ汚染が生じると共に、会話時に装着マスクがズレ、手でマスクを触る機会が多くなる等の問題がある。そのため、マスク使用時の眼鏡レンズの曇りを軽減し快適にし、マスクと口唇が接触する事で生じる不快と汚染を改善しマスクの効果をより良く快適にすることを  目的とする。
【課題を解決するための手段】
【０００５】  この考案は、上記の目的を解決するため手段として、第１観点は、マスクの構成を、マスク本体と鼻から頬部に添わせた内布を付けた構造にしている。内布は、縫い合わせた上端よりマスク装着者の鼻尖部までとし、横の長さもマスク本体より横径が短く、サイズの差が、マスク本体と内布との間にズレが生じるようにしている。このズレ、つまり空隙を利用し、呼気の排路を遮断し、マスク使用時の現象として見られる、呼気の温度、湿度差で生じる、眼鏡ガラス部分の曇り予防を特徴としている。【０００６】  この考案は、上記の目的を改善するためになされたもので、マスク本体と内布との二重構造とし、内布は装着者の鼻から頬部に接触固定されるが、第２観点では、マスク本体はマスク本体上部中心部に作られたダーツにより、鼻先より先に離れる形で空間を作り、会話時の動きにより生じるマスクのズレ、マスク本体が口唇に触れる事での、汚染を少なくし衛生面で改善する事を特徴とする。
【考案の効果】
【０００７】  この考案は、眼鏡使用時にも、眼鏡レンズが曇りにくく快適にマスク使用が出来る。又口唇がマスクに触れにくく、マスク装着による不快感や汚染が軽減できる。
【図面の簡単な説明】
【０００８】
【図１】図１は、実施形態のマスクの斜視図である。
【図２】図２は、実施形態のマスクの、分解図である。
【図３】図３は、実態形態のマスクの装着面の平面図である。
【図４】図４は、実施形態のマスク図３のＡ−Ａ｀での断面図である。
【図５】図５は、実施形態のマスクの装着時の側面図である。
【図６】図６は、実施形態のマスクの装着時の呼気の流れである。
【考案を実施するための形態】
【０００９】  以下、本考案のマスクの最も好適な実施形態について、図面を参照しつつ説明する。図１に実施形態のマスクの斜面図を示す。図２にマスク本体とマスク内布を開いたときの分解図を示す。図３は、マスク装着面を開いた平面図。図４はマスク平面図Ａ−Ａ｀での断面図を示す。図５は、好適なマスク装着時の側面図である。図６は、マスク装着時の呼気の流れについて、点線と矢印で表現した物である。
【００１０】  本明細書および実用新案登録請求の範囲において「上下」、「左右」、「前後」と記載した場合の方向は、マスクを装着して直立した状態で使用者が認識する上下方向、左右方向、および前後方向にそれぞれ対応している。
【００１１】  本実施形態のマスクは、マスク本体の上端に、マスク装着者の鼻から両頬部に添った内布を付けた二重構造とする新しい作りとなっている。内布は、マスク本体より、縦横の長さが短く、左右に開くとマスク本体と内布には上端の縫い合わせた所から下に空隙が有る形態となり、鼻に接した内布は、左右の頬部から、耳の手前に添った装着になる。マスク本体は、上端中心部に鼻先に向かって長くダーツが有り、鼻先より離れて下顎部に下降する構造となる。その際、マスク本体下部にもダーツを２つ設け、マスク本体下部が下顎に添う形となり、マスク本体と口唇には空間が生じ、口唇との接触を防ぐ。更に本マスクは、布に限らず、化繊等他の材質にも形態を等しくすれば、効果を得るマスクである。
【００１２】  本実施形態により、使用者の呼気の流れは、本体マスクの内壁に添って多方面に流れるが、上部に流れた呼気は、マスク本体と内布によってできた空隙により塞き止められ、外に漏れる呼気量が低下する。これにより呼気の温度、湿度差による眼鏡部分の曇り現象を軽減する特徴的な良い効果が有る。
【産業上の利用可能性】
【００１３】  マスクとして利用できる。
【符号の説明】
【００１４】１    マスク本体
２    マスク内布
３    内布中心部の縦の長さ
４    内布横の長さとカーブ形態
５    マスク本体と内布との長さの差により生じる空隙部
６    マスク本体、中心部ダーツ
７    マスク下部ダーツ
８    マスクゴム
９    マスクゴム長さ調節具
１０  呼気の流れと上部空隙部に流れた呼気の戻り
【図１】
0003231654.tif 000003
【図２】
0003231654.tif 000004
【図３】
0003231654.tif 000005
【図４】
0003231654.tif 000006
【図５】
0003231654.tif 000007
【図６】
0003231654.tif 000008
(57)【要約】      （修正有）【課題】マスカーテープ（ビニールにテープが付いている物）を貼る手間をなくし、ビニールゴミを減らすペンキ容器の蓋を提供する。【解決手段】幅１７５ｍｍ厚み０．３ｍｍの寸法を有し、外周に溝の付いたペンキ容器用の円形状プラスチック丸型下げ缶専用蓋である。【選択図】図２
0003231658.tif 000002
【実用新案登録請求の範囲】
【請求項１】
幅１７５ｍｍ厚み０．３ｍｍ外周に溝の付いた円形状プラスチック丸型下げ缶専用蓋
【考案の詳細な説明】
【技術分野】
【０００１】幅１７５ｍｍ厚み０．３ｍｍ外周に溝の付いた円形状プラスチック丸型下げ缶専用蓋
【背景技術】
【０００２】従来ペンキ容器にマスカーテープ（ビニールにテープが付いている物）を使って蓋をしていました。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】マスカーテープを、貼る手間をなくす。ビニールゴミを減らす。
【課題を解決するための手段】
【０００６】幅１７５ｍｍ厚み０．３ｍｍ外周に溝の付いた円形状プラスチック丸型下げ専用蓋
【考案の効果】
【０００７】マスカーテープの消費を減らす事により、経費削減
【図面の簡単な説明】
【０００８】
【図１】は、蓋の平面図を表す図である。
【図２】は、蓋の立面図・断面図を表す図である。
【考案を実施するための形態】
【０００９】
【実施例】
【００１０】
【産業上の利用可能性】
【００１１】
【符号の説明】
【００１２】▲１▼、プラスチック蓋    ▲２▼、溝
【図１】
0003231658.tif 000003
【図２】
0003231658.tif 000004
(57)【要約】      （修正有）【課題】ハリス挿通孔を頭部に有する釣り針がハリスを軸に回動自在に取り付けられている仕掛けにおいて、釣り針がハリスの端から脱落することを防止できる釣り用具を提供する。【解決手段】釣り用具は、ハリス１７が挿通された状態で釣り針２０とストッパー１３との間に設置されるリング１であり、外径が３ｍｍ以下で内径は０．３〜０．６ｍｍであり、且つ金属製であり、魚にかじられても欠損しない。また、ハリス直径が０．３ｍｍ以下であり、ストッパーがハリスを結束した結び目で構成されていても釣り針の脱落を防止できる。【選択図】図３
0003231681.tif 000002
【実用新案登録請求の範囲】
【請求項１】
挿通孔を頭部に有する釣り針がハリスを挿通され前記ハリスを軸に回動自在の状態に取り付けられた釣りの仕掛けにおいて、前記釣り針が前記ハリスに付されたストッパーを越えて脱落するのを防止するために、前記ハリスが挿通された状態で前記釣り針と前記ストッパーとの間に位置するリングであって、前記リングは、外径が3ｍｍ以下で内径は0.3〜0．6ｍｍであり、且つ金属製であることを特徴とする釣り用具。
【考案の詳細な説明】
【技術分野】
【０００１】
本考案の釣り用具は、ハリスを軸に回動自在な状態に取り付けられた釣り針がハリスの端から脱落するのを防止するための釣り用具である。また、この釣り用具はハリスに付されたストッパー（ハリスを結束した結び目など）と協働して釣り針の脱落を防止する。
【背景技術】
【０００２】
上述した釣り用具に似たもので、シモリ玉と呼ばれる釣り用具がある。釣り仕掛けにおいてそのシモリ玉の釣り糸上の位置は、中通し浮きと釣り糸に付されたストッパーとの間に挟まれた位置である。また、シモリ玉を釣り針の脱落防止に使用するならば、釣り針とハリスに付されたストッパーとの間にシモリ玉が位置することになる。（釣り針の脱落防止に適するものは存在しない）
【先行技術文献】
【特許文献】
【０００３】
【特許文献１】実用新案登録第3226060号
【非特許文献】
【０００４】
【非特許文献１】http://taniyamashoji.co.jp/tsurimusha/242                  （2020年1月24日検索）
【考案の概要】
【考案が解決しようとする課題】
【０００５】
釣り用具のシモリ玉を釣り針の脱落防止に使用した場合、頻繁に魚にかじられるので欠損しやすい。また、釣り用具に金属製リングは存在するが、輪と輪を繋ぐ程度のものであり、釣り針がハリスから脱落するのを防止出来るものは存在しない。内径1.5ｍｍ以下とした実用新案登録第3226060号のリングは、直径が0.3ｍｍ程度の細いハリスを結束した結び目であるストッパーに対して脱落防止効果が低いことが判明している。非特許文献１のシモリ玉も樹脂製の為、釣り針近くに配すれば魚にかじられた場合に欠損することがある。本考案は、シモリ玉が魚にかじられ欠損しやすい問題と、直径が0.3ｍｍ程度の細いハリスでは釣り針が脱落する問題を解決するものである。
【課題を解決するための手段】
【０００６】
本考案は、ハリスが挿通されるリングであって、前記リングは、外径が3ｍｍ以下で内径は0.3〜0.6ｍｍであり、且つ金属製であることを特徴とする釣り用具である。
【考案の効果】
【０００７】
本考案は、ハリスが挿通されるリングであって、前記リングは、外径が
3ｍｍ以下で内径は0.3〜0.6ｍｍであり、且つ金属製であるので魚にかじられても欠損しない。また、ハリス直径が0.3mm以下であってもハリスを結束した結び目であるストッパーでも釣り針の脱落を防止できる。
【図面の簡単な説明】
【０００８】
【図１】ａ）第一の実施例の正面図ｂ）第一の実施例の側面図
【図２】ａ）シモリ玉の正面図ｂ）シモリ玉の側面図
【図３】第一の実施例を適用した釣り仕掛け104
【考案を実施するための形態】
【０００９】
下記の実施例をもって、考案を実施するための形態の説明も兼ねる。
【実施例】
【００１０】
図１ａ）及び図１ｂ）の第一の実施例である釣り用具１０１は、リング状であり、リング１の外径は3ｍｍ以下で、内径は0.3〜0.6ｍｍである。材質は金属であり、ハリスが挿通され、固定されない状態で釣りの仕掛けに装着される。リングは魚にかじられても欠損しないのでリング厚さは薄くて構わない。リングは線材で作るのが適しているが、平材でリングを作る場合は、平ワッシャーに似た形状となるが、得られる効果は変わらない。また、図3で述べるストッパー１３は直径が0.3ｍｍ程度のハリスを結束した結び目とすることが想定されるので、リング１の内径は、0.6ｍｍ以下にしなければ釣り針の脱落は防止できない。
【００１１】
図２ａ）及び図２ｂ）は、従来のシモリ玉である。一般的にシモリ玉６の材質は樹脂であり、直径は3mm〜8ｍｍ程度の球状のものが多く、釣り糸の挿通孔７を有している。小さいシモリ玉は、強度が不足し、魚にかじられさらに欠損しやすい。
【００１２】
図3は、第一の実施例である釣り用具１０１を釣り仕掛け１０４に適用したものである。ハリス１７が挿通されたハリス挿通孔２１を有する釣り針２０及びリング１があり、ハリス１７の一端２２側にストッパー１３が付され、リング１はハリス１７上の釣り針２０とストッパー１３との間に位置する。よってリング１はストッパー１３よりハリス１７の一端２２側に移動できず、更には釣り針２０がリング１を越えてハリス１７の一端２２側に移動できない。すなわち釣り針２０はハリス１７の一端２２から脱落しない構成になる。ハリス１７の他端２３はサルカン１６などの係止具に接続されている。このリング１は、特に魚にかじられやすい場所に位置するため金属が適している。さらには魚の引きが直接リング１に掛かるため、強度が高い金属が良い。この時、各々の径の大きさはリング１の内径<ストッパー１３の直径であり、釣り針の挿通孔の径<リング１の外径となっている。（このストッパー１３はハリスを結束した結び目が想定される）
【符号の説明】
【００１３】
１  リング
２  リングの孔
６  シモリ玉
７  シモリ玉の挿通孔
１３  ストッパー
１６  サルカン
１７  ハリス
２０  ハリス挿通孔を有する釣り針
２１  ハリス挿通孔
２２  ハリスの一端
２３  ハリスの他端
１０１  第一の実施例
１０４  釣り仕掛け
【図１】
0003231681.tif 000003
【図２】
0003231681.tif 000004
【図３】
0003231681.tif 000005
(57)【要約】      （修正有）【課題】洋蘭用植え込み補助器の発泡スチロールもしくは洋蘭栽培用のビニールポットがプラスチック製植木鉢の内側表面によって滑るのを防ぐ洋蘭用植木鉢を提供する。【解決手段】植木鉢本体１の内側にシボ加工３を設け、その凹凸により発泡スチロール製の洋蘭用植え込み補助器及び洋蘭栽培用ビニールポットの表面が植木鉢内側の表面に引っ掛かることにより、滑りを防止し、植え込まれた洋蘭が動かなくなることを防止する。【選択図】図１
0003231668.tif 000002
【実用新案登録請求の範囲】
【請求項１】
プラスチック製植木鉢の内側表面に発泡スチロール製洋蘭用植え込み補助器もしくは洋蘭栽培用のビニールポットが滑るのを防ぐためのシボ加工が施されたことを特徴とする洋蘭用植木鉢。
【請求項２】
前記プラスチック製植木鉢はプラスチックと自然素材との混合物によって形成されていることを特徴とする請求項１に記載の洋蘭用植木鉢。
【請求項３】
前記自然素材は竹の粉及びとうもろこしの粉であることを特徴とする、請求項２に記載の洋蘭用植木鉢。
【考案の詳細な説明】
【技術分野】
【０００１】  本考案は、プラスチック素材及び自然素材を合成した洋蘭用の植木鉢に関するものである。
【背景技術】
【０００２】  洋蘭生産者がプラスチック製植木鉢もしくは陶器製植木鉢を使用し植え込みをする際に発泡スチロール製の洋蘭用植え込み補助器を使用して植え込んでいる。また、植え込み補助器を使用せず、洋蘭栽培用ビニールポットのまま植え込みを行う場合もある。
図２は発泡スチロール製洋蘭植え込み補助器を示し、図３は洋蘭用栽培用ビニールポットを示している。
【考案の概要】
【考案が解決しようとする課題】
【０００３】  洋蘭生産者がプラスチック製植木鉢を使用し植え込みをする際にプラスチック製植木鉢の内側表面が滑らかなため、発泡スチロール製の洋蘭用植え込み補助器４を使用、もしくは洋蘭栽培用ビニールポット５で植え込んだ際に植え込み作業効率の悪化や植え込んだ洋蘭が固定されず動いてしまうという課題があった。
【課題を解決するための手段】
【０００４】  本考案はプラスチック製植木鉢の内側にシボ加工を設け、洋蘭用植え込み補助器の発泡スチロール４もしくは洋蘭栽培用のビニールポット５がプラスチック製植木鉢の内側表面によって滑るのを防ぐ機能を特徴とする。
【考案を実施するための形態】
【０００５】  本考案に係る植木鉢は竹の粉及びとうもろこしの粉等の植物性天然素材を用い、これらの粉体にメラミン樹脂の粉体を混入し、熱圧縮加工により所望形状に成形したものである。竹の粉及びとうもろこし粉以外の植物性天然素材を用いたものでも可能である。
【０００６】  本考案植木鉢の形状は、主に洋蘭用植木鉢として屋内装置品としての花器等として使用するのに適する。また、本考案容器の底に排水穴があり、植木鉢として使用するのに適したものになる。
【０００７】  また、本考案植木鉢の内側表面に凹凸のシボ加工を設け、結果、発泡スチロール製洋蘭植え込み補助器４、及び洋蘭栽培用ビニールポット５が本考案容器の内部で固定されやすくなる効果がある。
【実施例】
【０００８】  以下、実施例について図面を参照して説明すると、図１（Ａ）は本考案の植木鉢の正面写真で、図１（Ｂ）は内面シボ加工拡大写真である。図２は発泡スチロール製洋蘭植え込み補助器の画像である。また、図３は洋蘭栽培用ビニールポットである。
植木鉢本体１は竹の粉、とうもろこしの粉等の植物性天然素材を用い、これらの粉体にメラミン樹脂の粉体を混入し、熱圧縮加工により所望形状に成形したものである。【００９】  植木鉢本体１は、上部開口２に向かってより幅広となるよう形成され、植木鉢内側側面部図１（Ｂ）には口部上部を除いて凹凸のあるシボ加工３を設けられている。【００１０】また、植木鉢本体１の外面側部には横しま模様となるように横方向に線状の凸部が一定間隔に多数連設されており、これにより植木鉢外面側部１の外周面は連続する凹凸面を形成する。口部上部６にシボ加工を設けていないのは洋蘭の葉を傷つけないためである。
【考案の効果】
【００１１】  以上説明した本考案に係る植木鉢によれば、以下に記載される効果を奏する。
【００１２】  本考案植木鉢では、植物性天然有機物である竹の粉やとうもろこしの粉を素材とするため、使用済みとなった場合の回収破棄も一般可燃ごみとして処理でき、プラスチック１００パーセント素材の植木鉢よりも焼却時における有害物質も少なくなるため、環境破壊が生じ難い。
【００１３】  更に通常洋蘭は陶器製の植木鉢に植えられていることが多いが、本考案のより軽量な植木鉢を使用することによって植え込み時の負担軽減にもなり、高齢化の進む生産現場において作業の効率化にもなる。
【００１４】  洋蘭生産者がプラスチック製植木鉢を使用し植え込みをする際にプラスチック製植木鉢の内側にシボ加工３を設け、発泡スチロール製の洋蘭用植え込み補助器４を使用、もしくは洋蘭栽培用ビニールポット５で植え込んだ際に植え込み作業効率の向上や植え込んだ洋蘭が固定され、動いてしまうことを防ぐことができる。
【図面の簡単な説明】
【００１５】
【図１（Ａ）】本考案の植木鉢の１実施例を示す正面写真である。
【図１（Ｂ）】本考案の植木鉢の内面の１部を拡大した写真である。
【図２（Ａ）】発泡スチロール製洋蘭植え込み補助器使用例の写真である。
【図２（Ｂ）】発泡スチロール製洋蘭植え込み補助器の写真である。
【図３】洋蘭栽培用ビニールポットの写真である。
【符号の説明】
【００１６】１．鉢本体
２．鉢口部上部
３．鉢内側拡
４．発泡スチロール製の洋蘭用植え込み補助器
５．洋蘭栽培用のビニールポット
６．口部上部
【図１】
0003231668.tif 000003
【図２】
0003231668.tif 000004
【図３】
0003231668.tif 000005
(57)【要約】      （修正有）【課題】容器底部全面への結露付着が無くなり、卓上の外観も良くなり、結露の拭き取りも容易な飲料容器を提供する。【解決手段】容器の底部外面に３から５点の突起を設ける。結露は突起部分に集約され、全面への付着が無くなる。【選択図】図１
0003231669.tif 000002
【実用新案登録請求の範囲】
【請求項１】
容器の底部外面に３から５点の突起をもつ対結露飲料容器。
【請求項２】
ポリプロピレン及びポリエチレンテレフタレートなどのプラスチック製容器、並びにガラス製容器であることを特徴とする請求項１記載の対結露飲料容器。
【考案の詳細な説明】
【考案の詳細な説明】
【技術分野】
【０００１】本考案は、容器表面の結露による問題を解決する飲料容器に関するものである。
【背景技術】
【０００２】一般に飲料容器は、飲料が入った状態で、低温、特に冷蔵庫に置いた後、室内に戻すと、容器表面に結露が生じ、その結露は容器底部ほぼ全面に付着し、更に、それが卓上に移行し、付着及び拡散することが通常である。【０００３】飲料容器の結露対応についての文献（実用新案及び特許）の中で、実用新案（実開平０６−０４５５７５）は、飲料容器を結露させないための容器配膳具で、外壁は蓄冷剤を封入した中空になったものである。特許（特開２００２−１９３３５１）は、比熱の異なる素材でできた外壁及び内壁２層の構造で、特許（特開平０９−２２６８２０）は、コップ状容器に、ストロー付き蓋体を被嵌し、該蓋体を載置台として兼用するものである。特許（特開２０１８−０２７１４８）は、容器本体と底部が分離した構造のものである。【０００４】本容器本体は通常の飲料容器で、その底部に突起を持つだけで、結露がその突起に集合する。通常の容器の場合、結露は容器底部ほぼ全面に付着し、又、その結露が卓上に円形など、容器の底部の形状の面状又は線状に拡散し、更に、コースターなどが付着することがある。これらの問題を防ぎ、構造が極めてシンプルで、結露問題が防げる飲料容器は無い。【０００５】本考案は、飲料容器に限定するものでなく、結露が生じる家事製品一般にも適用できる。
【先行技術文献】
【実用新案文献】
【０００６】
【実用新案文献】
実開平０６−０４５５７５
【特許文献】
【０００７】
【特許文献】特開２００２−１９３３５１
【特許文献】特開平０９−２２６８２０
【特許文献】特開２０１８−０２７１４８
【考案の概要】
【考案が解決しようとする課題】
【０００８】解決しようとする問題点は、現代人の生活において、ほぼ必須品の冷却飲料の容器表面の結露である。これを解決し、快適な生活環境を得ることを提供することである。
【課題を解決するための手段】
【０００９】本考案は、容器構造がシンプルで、製造コストが適正であることを特徴とする。【００１０】更に、容器はリサイクルできることを特徴とする。
【考案の効果】
【００１１】本考案で、人の日常生活がより快適になるという利点がある。
【図面の簡単な説明】
【００１２】
【図１】対結露飲料容器の側面
【図２】丸形対結露飲料容器の底面突起３個付き
【図３】丸形対結露飲料容器の底面突起５個付き
【図４】角形対結露飲料容器の底面突起４個付き
【符号の説明】１  対結露飲料容器側面
２  対結露飲料容器底面突起
【考案を実施するための形態】
【００１３】冷却飲料を飲むという人の日常行為で、容器への結露は大きな問題である。これを、極めてシンプルな対策で解決し、生活を快適にするようにした。
【実施例１】
【００１４】実施例１では、ＰＥＴ（ポリエチレンテレフタレート）容器の底外面に３個の突起をもたせた筒状ボトル（丸形対結露飲料容器）を用いる。この容器に５℃のリンゴジュースを入れ、室内に放置する。このとき、容器表面に生じた結露は容器外壁を流れ落ち、底部で突起部分に集約し、結露は卓上３点に限られる。結果、通常容器に結露したときにみられる、容器の底部分の結露の手への付着及び結露の卓上での広がりを避けることができる。
【実施例２】
【００１５】実施例２では、ＰＰ（ポリプロピレン）容器の底外面に４個の突起をもたせた角型ボトル（角形対結露飲料容器）を用いる。この容器に５℃のコーヒー飲料を入れ、室内に放置する。このとき、容器表面に生じた結露は容器外壁を流れ落ち、底部で突起部分に集約し、結露は卓上４点に限られる。結果、通常容器に結露したときにみられる、容器の底部分の結露の手への付着及び結露の卓上での広がりを避けることができる。
【実施例３】
【００１６】実施例３では、ガラス製容器の底外面に５個の突起をもたせた筒状ボトル（丸形対結露飲料容器）を用いる。この容器に５℃の炭酸飲料を入れ、室内に放置する。このとき、容器表面に生じた結露は容器外壁を流れ落ち、底部で突起部分に集約し、結露は卓上５点に限られる。結果、通常容器に結露したときにみられる、容器の底部分の結露の手への付着及び結露の卓上での広がりを避けることができる。
【図１】
0003231669.tif 000003
【図２】
0003231669.tif 000004
【図３】
0003231669.tif 000005
【図４】
0003231669.tif 000006
(57)【要約】      （修正有）【課題】耐摩耗性に優れ、清掃しやすく、滑り止め効果が優れる滑り止めシリコンパッドを提供する。【解決手段】滑り止めシリコンパッドは上から順に、軟質生地層１、充填層２、基布層３、シリコン底部４からなり、軟質生地層、充填層、基布層の間が縫製糸５で縫合されて連結され、シリコン底部が基布層の底面に点状に分布され、滑り止めシリコンパッドの周縁が折り返し６構造である。【選択図】図１
0003231608.tif 000002
【実用新案登録請求の範囲】
【請求項１】
滑り止めシリコンパッドであって、
上から順に、軟質生地層、充填層、基布層、シリコン底部からなり、前記軟質生地層、充填層、基布層の間が縫製糸で縫合されて連結され、前記シリコン底部が基布層の底面に点状に分布され、前記滑り止めシリコンパッドの周縁が折り返し構造であることを特徴とする滑り止めシリコンパッド。
【請求項２】
前記軟質生地層の材質がポリエステル、綿、ナイロン又は絹糸であり、その厚さが０．１ｍｍ〜２．０ｍｍであることを特徴とする請求項１に記載の滑り止めシリコンパッド。
【請求項３】
前記充填層の材質が羽毛、ポリエステル、ナイロン、羊毛、綿又は発泡ポリウレタンであり、その厚さが２ｍｍ〜５０ｍｍであることを特徴とする請求項１に記載の滑り止めシリコンパッド。
【請求項４】
前記基布層の材質がポリエステル、綿又は不織布であり、その厚さが０．１ｍｍ〜２．０ｍｍであることを特徴とする請求項１に記載の滑り止めシリコンパッド。
【請求項５】
前記折り返しの構造がポリエステル、綿又はポリウレタンであることを特徴とする請求項１に記載の滑り止めシリコンパッド。
【考案の詳細な説明】
【技術分野】
【０００１】
本考案は、カーペットの技術分野に属し、具体的に滑り止めシリコンパッドに関する。
【背景技術】
【０００２】
現在市場で滑り止め基材は、ゴム、ホットメルト、アクリル、ポリ塩化ビニル（ＰＶＣ）等の材質を採用することが一般的であるが、ゴム基材は紫外線の影響を受けやすく、劣化が発生し、材質が硬くなり、滑り止め効果が低下し、ホットメルト基材は熱可塑性材料に属し、周囲温度の影響を受けて変形しやすく、滑り止め効果の低下をもたらし、アクリル基材は滑り止め効果が普通であり、難燃性が不十分で耐摩耗性に劣り、安全上の懸念があり、ＰＶＣ基材は滑り止め効果が悪く、通気性が悪く、防水性に優れるが、底部の湿気が揮発しにくく、細菌の繁殖や家具、床のカビになりやすい。
【０００３】
生活水準の高まりに伴い、消費者は、従来のパッドの欠陥を克服した、材質が軽くて、防虫・防ダニ効果があり、清掃しやすく、表面の耐摩耗性に優れ、優れた滑り止め性能を有し、日常生活において温かく、快適で、安全な体験をもたらすパッドを望んでいる。
【考案の概要】
【考案が解決しようとする課題】
【０００４】
本考案の目的は、快適で軟らかく、清掃しやすく、耐摩耗性に優れた滑り止めパッドを提供することにある。
【課題を解決するための手段】
【０００５】
上記の技術的課題を解決するために、本考案は下記の技術的手段を提供する。
【０００６】
上から順に、軟質生地層、充填層、基布層、シリコン底部からなる滑り止めシリコンパッドであって、前記軟質生地層、充填層、基布層の間が縫製糸で縫合されて連結され、前記シリコン底部が基布層の底面に点状に分布され、前記滑り止めシリコンパッドの周縁が折り返し構造である。
【０００７】
前記軟質生地層の材質がポリエステル、綿、ナイロン又は絹糸であり、その厚さが０．１ｍｍ〜２．０ｍｍである。
【０００８】
前記充填層の材質が羽毛、ポリエステル、ナイロン、羊毛、綿又は発泡ポリウレタンであり、その厚さが２ｍｍ〜５０ｍｍである。
【０００９】
前記基布層の材質がポリエステル、綿又は不織布であり、その厚さが０．１ｍｍ〜２．０ｍｍである。
【００１０】
前記折り返しの構造がポリエステル、綿又はポリウレタンであること。
【考案の効果】
【００１１】
本考案は、日常生活やオフィス環境に適用する滑り止めシリコンパッドを開示している。表面が優れた耐磨耗耐久性を有し、防水で清掃しやすく、底面のシリコンが滴下成形され、滑り止め効果が極めて優れ、床面や家具表面に対する損傷性がなく、また通気性が良く、細菌を発生しにくく、中間充填層が軟らかくて快適であり、反発性が良く、保温し断熱でき、縫製糸が軟質生地層、充填層及び基布層を効果的に固定して、これらを平坦に揃え、ギャザーの発生や、充填層の滑りなどを防止して、折り返しを固定することもでき、折り返しが美観で耐摩耗性をもち、パッドの縁部をしっかりと固定することができる。
【図面の簡単な説明】
【００１２】
【図１】本考案の構造概略図である。
【考案を実施するための形態】
【００１３】
上から順に、軟質生地層、充填層、基布層、シリコン底部からなる滑り止めシリコンパッドであって、前記軟質生地層、充填層、基布層の間が縫製糸で縫合されて連結され、前記シリコン底部が基布層の底面に点状に分布され、前記滑り止めシリコンパッドの周縁が折り返し構造である。
【００１４】
前記軟質生地層の材質が、ポリエステル、綿、ナイロン、絹糸であり、その厚さが０．１ｍｍ〜２．０ｍｍであり、
ポリエステルは防水性が強く、柔軟性を維持し、強い吸湿発汗、速乾効果があり、
綿は天然織物であり、天然的で環境にやさしく、軟らかくて通気性が良く、軽量であり、
ナイロンは柔軟性が強く、強度が高く、耐摩耗性に優れ、
絹糸は滑らかで軟らかく、高級感があり、触感が涼しくて滑らかである。
【００１５】
前記充填層の材質が羽毛、ポリエステル、ナイロン、羊毛、綿、発泡ポリウレタンであり、その厚さが２ｍｍ〜５０ｍｍであり、
羽毛は軽量で保温性が強く、支持性が強く、通気性が良く、
ポリエステルは、耐温性が高く、防水性が強く、柔軟性を維持し、強い吸湿発汗、速乾効果があり、
ナイロンは柔軟性が強く、軽く耐久性があり、弾性が良く、通気性が良く、
羊毛は、難燃性が良く、支持性が強く、保温性や断熱性が良く、
綿は天然織物であり、天然的で環境にやさしく、軟らかくて通気性が良く、軽量であり、
発泡ポリウレタンは非透水性で、弾力性が良く、反発性が良く、保温性に優れる。
【００１６】
前記基布層の材質がポリエステル、綿、不織布であり、その厚さが０．１ｍｍ〜２．０ｍｍであり、
ポリエステルは防水性が強く、柔軟性を維持し、強い吸湿発汗、速乾効果があり、
綿は天然織物であり、天然的で環境にやさしく、軟らかくて通気性が良く、軽量であり、
不織布は通気性が良く、速乾効果があり、融点が高く、堅牢性が良い。
【００１７】
前記折り返し構造はポリエステル、綿、ポリウレタン（ＰＵ）であり、
ポリエステルは防水性が強く、柔軟性を維持し、強い吸湿発汗、速乾効果があり、
綿は天然織物であり、天然的で環境にやさしく、軟らかくて通気性が良く、軽量であり、
ＰＵは防水防汚で、丈夫で耐久性があり、優れた耐屈曲性、柔軟性を有し、抗張力が高く、通気性が良く、
前記縫製糸が縫糸である。
【符号の説明】
【００１８】
１  軟質生地層
２  充填層
３  基布層
４  シリコン底部
５  縫製糸
６  折り返し
【図１】
0003231608.tif 000003
(57)【要約】      （修正有）【課題】柏手音を元にして点灯し、自然体で参拝できる灯篭型神具を提供する。【解決手段】灯篭型神具１は、台座部１０と、台座部上に配される本体部２０と、本体部に配置されたＬＥＤ３０と、ＬＥＤに接続された制御回路６０と、制御回路に接続された電池５０と、制御回路に接続された音感センサー４０と、を備え、制御回路は、予め定められた所定間隔で発せられた柏手音を音感センサーが検知することにより、電池から供給される電力を用いてＬＥＤを所定時間点灯させる。【選択図】図１
0003231601.tif 000002
【実用新案登録請求の範囲】
【請求項１】
神棚に配置される灯篭型神具であって、
台座部と、
前記台座部上に配される本体部と、
前記本体部に配置された光源と、
前記光源に接続された制御回路と、
前記制御回路に接続された電源と、
前記制御回路に接続された音検知手段と、
を備え、
前記制御回路は、前記本体部に向かって発せられた柏手音のうち予め定められた所定間隔で発せられた柏手音を前記音検知手段が検知した信号を受信し、当該信号に基づいて前記電源から供給される電力を用いて前記光源を所定時間だけ点灯させる制御内容を具備している
ことを特徴とする灯篭型神具。
【考案の詳細な説明】
【技術分野】
【０００１】
本考案は、例えば神棚の前に飾られる灯篭型神具に関する。
【背景技術】
【０００２】
従来、神棚の前を飾る灯篭としては、例えば特許文献１に開示されている吊り灯篭のような、リモコンで光源となるＬＥＤを点滅動作させるものが知られている。また電線コードを接続して電力の供給を受けるものも知られている。
【先行技術文献】
【特許文献】
【０００３】
【特許文献１】実用新案登録第３１６５４０５号公報
【考案の概要】
【考案が解決しようとする課題】
【０００４】
しかしながら、リモコンで点滅させるものは当該リモコンを紛失するおそれがある。また、電源コードを用いたものはコードが邪魔になったり見栄えが悪くなってしまったりするという問題があった。
【０００５】
本考案は、より改良された灯篭型神具を提供することを目的とする。
【課題を解決するための手段】
【０００６】
本考案は、神棚に配置される灯篭型神具であって、台座部と、前記台座部上に配される本体部と、前記本体部に配置された光源と、前記光源に接続された制御回路と、前記制御回路に接続された電源と、前記制御回路に接続された音検知手段と、を備え、前記制御回路は、前記本体部に向かって発せられた柏手音のうち予め定められた所定間隔で発せられた柏手音を前記音検知手段が検知した信号を受信し、当該信号に基づいて前記電源から供給される電力を用いて前記光源を所定時間だけ点灯させる制御内容を具備していることを特徴とする灯篭型神具である。
【０００７】
かかる構成にあっては、神棚に参拝する際に一般的に行なわれる２礼２拍手１礼のうち、２拍手、すなわち所定間隔で発せられた柏手音を元にして前記光源を所定時間点灯させる。従ってリモコン等の操作を事前に行なうような、本来、参拝する際に必要の無い動作が必要なく、自然体で神棚に参拝することができる。なお、光源は所定時間だけ点灯してその後消灯するため、無駄な電力を消費することもない。また、電源等を当該灯篭型神具に内蔵することもでき、例えば電源コードが見えてしまう等の見栄えの悪さも生じない。
【考案の効果】
【０００８】
本考案にかかる灯篭型神具は、自然体で神棚に参拝することができるという効果がある。
【図面の簡単な説明】
【０００９】
【図１】実施例にかかる灯篭型神具を示し、（ａ）は斜視図であり、（ｂ）は一部切欠背面図である。
【図２】実施例にかかる灯篭型神具のブロック回路図である。
【考案を実施するための形態】
【００１０】
以下に本考案を具体化した実施例を詳細に説明する。なお、本考案は、下記に示す実施例に限定されることはなく、適宜、設計変更が可能である。
【００１１】
図１に示すように、灯篭型神具１は、一般的な置き灯篭を模したものであり、台座部１０と、台座部１０上に配される本体部２０と、を備えている。
【００１２】
本体部２０の内部空間には、光源であるＬＥＤ３０が配されている。なお、ＬＥＤ３０は、外部から直接視認することはできないが、本体部２０を構成している窓部２１を介して、ＬＥＤ３０から発せられた光が透過して自然な明るさを視認することができる。なお、ＬＥＤ３０は、単数でも複数でもよく、また例えば不規則に明るくなったり暗くなったりして本物のロウソクのように炎がゆらいで灯もるＬＥＤと、一定の明るさで点灯するＬＥＤとを組み合わせて内部に配置する構成も提案される。
【００１３】
また、本体部２０の上部には、音検知手段である音感センサー４０が配置されている。
【００１４】
さらに、台座部１０の内部には、電源である電池５０及び制御回路６０が収容されている。
【００１５】
そして、ＬＥＤ３０、音感センサー４０、電池５０、及び制御回路６０が、本体部２０及び台座部１０内に配置された図示しないコードにより互いに電気的に接続されている。
【００１６】
上述のように構成された灯篭型神具１は、神棚の前に配置することができる。そして、この状態で参拝者が神棚に向かって柏手音（例えば２礼２拍手１礼のうち２拍手）を発すると、この２度の柏手音を音感センサー４０が検知し、電池５０から供給される電力を用いてＬＥＤ３０が点灯する。
【００１７】
ここで、音感センサー４０が検知する２度の柏手音の間隔は、約１秒程度に設定されていることが望ましい。かかる設定において、間隔が短すぎたり長すぎたりすると、柏手音以外の音を意図せず検知してしまい、適切なタイミングでＬＥＤ３０を点灯するできないおそれがある。
【００１８】
点灯したＬＥＤ３０は、所定時間経過すると自動的に消灯する設定とされることが望ましい。例えば、点灯時間が、１５秒程度とすることができる。かかる設定において、点灯時間が短すぎると参拝中に消灯してしまうおそれがあり、長すぎると電力の無駄が発生したり、次の参拝者の参拝に不具合が生じてしまったりするおそれがある。
【００１９】
上記実施例において、各部の寸法形状は適宜自由に選択可能である。
【００２０】
また、台座部１０や本体部２０の形状は、種々の灯篭の形を模したものが適用可能であり、置き灯篭型以外にも、いわゆる吊り灯篭型のものであっても構わない。
【００２１】
台座部１０や本体部２０は、自然な質感を演出するために木製であることが望ましい。特に檜材等を用いることによって木のぬくもりを与え、高級感を出すことができる。
【００２２】
また、窓部２１は障子風とすることで、より一層自然な質感を演出することができる。特に、光が透過する部分に和紙や、和紙に近い光透過性のプラスチック材料等を用いることによって高級感を演出することができる。
【符号の説明】
【００２３】
１                灯篭型神具
１０              台座部
２０              本体部
２１              窓部
３０              ＬＥＤ（光源）
４０              音感センサー（音検知手段）
５０              電池（電源）
６０              制御回路
【図１】
0003231601.tif 000003
【図２】
0003231601.tif 000004